(57)【特許請求の範囲】
【請求項１】
複数枚の紙が重なり順の頁番号を付与されて任意の頁番号の頁を開き自在に束ねられた紙集合体が載置される載置部、及び
前記載置部における紙集合体の開き中の頁へのユーザの書込みに対して、該頁の頁番号に対応付けつつ、該書込みの内容をデータとして検出するデータ検出部、
を有しているディジタイザにおいて、
隆起部材が、前記載置部における紙集合体のめくり自在の厚さ側面に隣接して設けられ、
該隆起部材は、前記厚さ側面の厚さ方向へ前記厚さ側面の厚さ方向に対して下端から上端へ向かって概ね斜めに上昇している上昇部を有し、
該上昇部は、その延び方向の各範囲を識別する延び方向範囲識別手段を装備し、
表示部が、前記載置部の上面視で前記隆起部材に対して前記載置部とは反対側に前記隆起部材に隣接して配備され、
前記表示部は、頁番号と、該頁番号の頁にほぼ等しい高さの、前記上昇部の延び方向位置を示す指示マークとを表示するものであることを特徴とするディジタイザ。
【請求項２】
前記上昇部は、前記載置部の載置面から単調に上昇する傾斜面であり、前記延び方向範囲識別手段は、前記傾斜面の各範囲の色であることを特徴とする請求項１記載のディジタイザ。
【請求項３】
前記上昇部は、前記載置部の載置面から単調に上昇する階段構造を備え、前記延び方向範囲識別手段は、前記階段構造の各水平段部であることを特徴とする請求項１記載のディジタイザ。
【請求項４】
ユーザが頁番号を入力する頁番号入力部、
前記頁番号入力部に入力のあった頁番号及びそれに対応の指示マークを前記表示部に表示させる表示制御手段、
を有していることを特徴とする請求項１記載のディジタイザ。
【請求項５】
コンピュータ本体から頁番号の指示を受ける頁番号指示入力部、
前記頁番号指示入力部が指示を受けた頁番号及びそれに対応の指示マークを前記表示部に表示させる表示制御手段、
を有していることを特徴とする請求項１記載のディジタイザ。
【請求項６】
前記載置部に載置する紙集合体についてその総頁数を設定値としてユーザが入力する設定値入力部を有し、
前記表示制御手段は、前記設定値入力部へユーザの入力した総頁数の設定値に基づいて前記表示部における指示マークの位置を制御することを特徴とする請求項４又は５記載のディジタイザ。
【請求項７】
複数枚の紙が重なり順の頁番号を付与されて任意の頁番号の頁を開き自在に束ねられた紙集合体が所定位置で載置される載置部、及び
前記載置部における紙集合体のめくり自在の厚さ側面に隣接して設けられる隆起部材、
を有し、
該隆起部材は、前記厚さ側面の厚さ方向へ前記厚さ側面の厚さ方向に対して概ね斜めに延びる上昇部を有し、該上昇部は、その延び方向の各範囲を識別する延び方向範囲識別手段を装備し、
表示部が、前記載置部の上面視で前記隆起部材に対して前記載置部とは反対側に前記隆起部材に隣接して配備され、
前記表示部は、頁番号と、該頁番号の頁にほぼ等しい高さの、前記上昇部の延び方向位置を示す指示マークとを表示するものであることを特徴とする頁アクセス支援装置。
【請求項８】
前記上昇部は、前記載置部の載置面から単調に上昇する傾斜面であり、前記延び方向範囲識別手段は、前記傾斜面の各範囲の色であることを特徴とする請求項７記載の頁アクセス支援装置。
【請求項９】
前記上昇部は、前記載置部の載置面から単調に上昇する階段構造を備え、前記延び方向範囲識別手段は、前記階段構造の各水平段部であることを特徴とする請求項７記載の頁アクセス支援装置。
【発明の詳細な説明】
【０００１】
【発明の属する技術分野】
本発明は、ディジタイザ、及びディジタイザ等に装備される頁アクセス支援装置に係り、詳しくは載置された紙集合体の目的の頁をユーザが能率的に開くことのできるディジタイザ、及びディジタイザ等に装備される頁アクセス支援装置に関するものである。
【０００２】
【従来の技術】
ノート型パソコンでは、パソコン本体と共にディジタイザが装備され、ユーザは、ディジタイザを介して文字等をパソコン本体へ入力できるようになっている。典型的なディジタイザの使い方では、ユーザは、レポート用紙型ノート（上辺部を綴じられ、適宜、用紙を千切り自在の書き込み用紙の束）を載置部に載置して、該ノートの任意の頁を開いて、該頁に文字を書き込むと、該頁にインクで文字が残るとともに、文字がパソコン本体へデータとして入力されるようになっている。そして、ユーザが文字を入力する頁を入力すれば、ユーザが紙に入力した文字のデータは、その入力頁に対応付けられて、保存されるようになっている。
【０００３】
【発明が解決しようとする課題】
従来のディジタイザでは、ユーザは、ディジタイザ上のノートの所望頁を開こうとするとき、該所望の頁がノートのどの当たりにあるかを自分の見当で判断して、開いており、該所望の頁を開くまでに時間及び労力がかかり、非能率的であった。
っていた。
【０００４】
本発明の目的は、ユーザが、ノートや本等の所望頁を能率よくめくることのできるディジタイザ及び頁アクセス支援装置を提供することである。
【０００５】
【課題を解決するための手段】
本発明のディジタイザは、複数枚の紙が重なり順の頁番号を付与されて任意の頁番号の頁を開き自在に束ねられた紙集合体が載置される載置部、及び載置部における紙集合体の開き中の頁へのユーザの書込みに対して、該頁の頁番号に対応付けつつ、該書込みの内容をデータとして検出するデータ検出部、を有している。該ディジタイザにおいて、隆起部材が、載置部における紙集合体のめくり自在の厚さ側面に隣接して設けられ、該隆起部材は、厚さ側面の厚さ方向へ厚さ側面の厚さ方向に対して下端から上端へ向かって概ね斜めに上昇している上昇部を有し、該上昇部は、その延び方向の各範囲を識別する延び方向範囲識別手段を装備している。
【０００６】
紙集合体とは、例えば、上辺部を綴じられ適宜、用紙を千切り自在の書き込み用紙の束となっているレポート用紙型ノートや、左辺部において綴じられ開き自在になっている通常の帳面、及び複数のカット紙を左隅部や左辺部等の適宜個所においてクリップやホッチキスの針により硬く留めたり、それらにパンチ穴を形成して、リング等により緩く留めた束、及び適宜、書込み自在の印刷物や書籍等である。紙集合体のめくり自在の厚さ側面とは、紙集合体の厚さ側面の内、綴じられていたり、留められていたりして、めくり不能になっている厚さ側面以外の厚さ側面のことである。上昇部は、厚さ側面の厚さ方向に対して下端から上端へ向かって概ね斜めに上昇していれば足り、部分的に横ばいや下降となっていてもよいとする。
【０００７】
延び方向範囲識別手段には、例えば、形状や構造的なもの、色彩的なもの、目盛りがある。さらに、目盛りには、彫りこみ等の構造的なものや、数値や線等の視覚的なものが含まれる。
【０００８】
所定態様のディジタイザによれば、（ａ）上昇部は、載置部の載置面から単調に上昇する傾斜面であり、延び方向範囲識別手段は、傾斜面の各範囲の色であり、又は（ｂ）上昇部は、載置部の載置面から単調に上昇する階段構造を備え、延び方向範囲識別手段は、階段構造の各水平段部である。
【０００９】
所定態様のディジタイザによれば、さらに、表示部が、載置部の上面視で隆起部材に対して載置部とは反対側に隆起部材に隣接して配備され、表示部は、頁番号と、該頁番号の頁にほぼ等しい高さの、上昇部の延び方向位置を示す指示マークとを表示するものである。所定態様のディジタイザは、ユーザが頁番号を入力する頁番号入力部、頁番号入力部に入力のあった頁番号及びそれに対応の指示マークを表示部に表示させる表示制御手段、を有している。所定態様のディジタイザは、コンピュータ本体から頁番号の指示を受ける頁番号指示入力部、頁番号入力部に入力された入力のあった頁番号及びそれに対応の指示マークを表示部に表示させる表示制御手段、を有している。
【００１０】
所定態様のディジタイザは、載置部に載置する紙集合体についてその総頁数を設定値としてユーザが入力する設定値入力部を有し、表示制御手段は、設定値入力部へユーザの入力した総頁数の設定値に基づいて表示部における指示マークの位置を制御する。
【００１１】
本発明の頁アクセス支援装置は、複数枚の紙が重なり順の頁番号を付与されて任意の頁番号の頁を開き自在に束ねられた紙集合体が所定位置で載置される載置部、及び載置部における紙集合体のめくり自在の厚さ側面に隣接して設けられる隆起部材、を有している。該隆起部材は、厚さ側面の厚さ方向へ厚さ側面の厚さ方向に対して概ね斜めに延びる上昇部を有し、該上昇部は、その延び方向の各範囲を識別する延び方向範囲識別手段を装備している。
【００１２】
頁アクセス支援装置の利用例としては、所定厚さの書籍を机やテーブル等における所定の載置部に載置し、ユーザが、隆起部材の上昇部における延び方向範囲識別手段を利用して、書籍の目標の頁を能率的に開く場合がある。書籍としては、例えば百科事典、地図帳、及び電話帳等がある。頁アクセス支援装置蛾利用される紙集合体は、書籍に限定されず、、及びプリンタからの出力されて適宜、留められた用紙集や、書込み自在に綴じられた用紙集も含まれる。
【００１３】
所定態様の頁アクセス支援装置によれば、（ａ）上昇部は、載置部の載置面から単調に上昇する傾斜面であり、延び方向範囲識別手段は、傾斜面の各範囲の色であり、又は（ｂ）上昇部は、載置部の載置面から単調に上昇する階段構造を備え、延び方向範囲識別手段は、階段構造の各水平段部である。
【００１４】
なお、好ましい所定態様の頁アクセス支援装置には、さらに、次の構成を適宜、付加することができる。
（ｃ）表示部が、載置部の上面視で隆起部材に対して載置部とは反対側に隆起部材に隣接して配備され、表示部は、頁番号と、該頁番号の頁にほぼ等しい高さの、上昇部の延び方向位置を示す指示マークとを表示するものであること。
（ｄ）ユーザが頁番号を入力する頁番号入力部、頁番号入力部に入力のあった頁番号及びそれに対応の指示マークを表示部に表示させる表示制御手段、を有していること。
（ｅ）コンピュータ本体から頁番号の指示を受ける頁番号指示入力部、頁番号入力部に入力された入力のあった頁番号及びそれに対応の指示マークを表示部に表示させる表示制御手段、を有していること。
【００１５】
さらに、所定態様の頁アクセス支援装置は、載置部に載置する紙集合体についてその総頁数を設定値としてユーザが入力する設定値入力部を有し、表示制御手段は、設定値入力部へユーザの入力した総頁数の設定値に基づいて表示部における指示マークの位置を制御する。
【００１６】
【発明の実施の形態】
以下、発明の実施の形態について図面を参照して説明する。
図１はポータブルコンピュータ１０を携帯時の状態で示す斜視図である。ポータブルコンピュータ１０は、厚さ方向へ相互に重ね合わされたパソコン本体厚さ部分１１及びデジタイザ厚さ部分１２を有している。図１に図示の状態のポータブルコンピュータ１０を書籍にたとえると、レザーカバー１３は、表、裏、及び背中の表紙を構成するように、パソコン本体厚さ部分１１及びデジタイザ厚さ部分１２の重ね合わせ物（以下、この重ね合わせ物を適宜「重ね合わせ物Ｘ」と言う。重ね合わせ物Ｘは、厚さ方向両側の２個の端面と、４個の厚さ面との計６面をもつ。）を覆っており、背中部１５では重ね合わせ物Ｘの４個の厚さ面の内の１個の厚さ面（以下、適宜、「背中側厚さ面Ｂ１」と言う。）を覆っている。レザーカバー１３は、その表及び裏の表紙面に相当する範囲では、折り返し用線１４を境に背中部１５に近い方の分離自在部１７と遠い方の固着部１８とにほぼ２等分割されている。レザーカバー１３は、背中部１５及び分離自在部１７では、該重ね合わせ物Ｘに対して適宜、分離自在となっており、固着部１８では重ね合わせ物に常時、固着し、パソコン本体厚さ部分１１及びデジタイザ厚さ部分１２を開閉自在に連結する可撓性ヒンジの役目を担う。ラッチ１６は、重ね合わせ物Ｘにおいて背中側厚さ面Ｂ１とは反対側の厚さ面（以下、適宜、「腹側厚さ面Ｂ２」と言う。）に装備され、摺動操作することにより、重ね合わせ物Ｘの腹側厚さ面Ｂ２側においてパソコン本体厚さ部分１１及びデジタイザ厚さ部分１２を結合及び結合解除できるようになっている。
【００１７】
図２はポータブルコンピュータ１０を図１の状態から所定角度、開いた状態を示している。図１のポータブルコンピュータ１０において、ラッチ１６を摺動操作して、パソコン本体厚さ部分１１及びデジタイザ厚さ部分１２の腹側厚さ面Ｂ２側の結合を解除してから、書籍を開くように、図２のＡ１方向へパソコン本体厚さ部分１１をデジタイザ厚さ部分１２に対して開くと、パソコン本体厚さ部分１１のデジタイザ厚さ部分１２との対峙面側には、液晶ディスプレイ２１が、また、デジタイザ厚さ部分１２のパソコン本体厚さ部分１１との対峙面側にはデジタイザ２４が出現する。すなわち、図１に示されたパソコン本体厚さ部分１１及びデジタイザ厚さ部分１２の重ね合わせ状態（以下、この重ね合わせ状態を適宜「重ね合わせ状態Ｃ１」と言う。）では、液晶ディスプレイ２１及びデジタイザ２４が対峙するように、重ね合わされていたことが分かる。パソコン本体厚さ部分１１の側において、液晶ディスプレイ２１はパソコン本体厚さ部分１１の広さの半部以上を占め、残りの部分にはバッテリ２２が着脱自在に装備されている。デジタイザ厚さ部分１２の側には、デジタイザ２４の他に、デジタイザ２４の枠部から張り出してペン台２６が設けられ、入力用ペン２５がペン台２６の凹部に配備されている。なお、デジタイザ２４は「タブレット」とも言う。
【００１８】
図３はポータブルコンピュータ１０を１８０°開いた状態を示す斜視図である。パソコン本体厚さ部分１１の側において、液晶ディスプレイ２１は、図示していない折畳み式スタンドによりキーボード３１の奥側に結合しており、液晶ディスプレイ２１の上辺を斜め上方へ（Ａ２方向）移動させた後、液晶ディスプレイ２１の下辺をキーボード３１の奥側に下降させる（Ａ３方向）ことにより、液晶ディスプレイ２１の下にあったキーボード３１を露出させ、かつ液晶ディスプレイ２１をキーボード３１の奥に起立させ、ユーザは、液晶ディスプレイ２１の画面を見つつ、キーボード３１から入力操作が可能になる。
【００１９】
図４は液晶ディスプレイ２１を省スペースで使用する状態の斜視図である。なお、図４では、液晶ディスプレイ２１の起立前の状態を示している。実際に使用するには、図３に示すように、液晶ディスプレイ２１を起立させて、液晶ディスプレイ２１の下のキーボード３１を露出させなければならない。図４の重ね合わせ状態（以下、この重ね合わせ状態を適宜「重ね合わせ状態Ｃ２」と言う。）は、パソコン本体厚さ部分１１及びデジタイザ厚さ部分１２は重ね合わせ状態となっていながら、前述の重ね合わせ状態Ｃ１とは異なっている。すなわち、重ね合わせ状態Ｃ２では、液晶ディスプレイ２１及びデジタイザ２４は、相互に対峙する向きではなく、共に上向きにされ、かつパソコン本体厚さ部分１１がデジタイザ厚さ部分１２の上に重ね合わされている。重ね合わせ状態Ｃ２を実現するために、重ね合わせ状態Ｃ１においてパソコン本体厚さ部分１１の裏面（＝収納状態にある液晶ディスプレイ２１の面とは反対側のパソコン本体厚さ部分１１の面）を被覆していた分離自在部１７が、重ね合わせ状態Ｃ２では、パソコン本体厚さ部分１１の裏面側の固着部１８に対してその下に折り返されている。重ね合わせ状態Ｃ１においてデジタイザ２４の裏面を被覆していた分離自在部１７は、重ね合わせ状態Ｃ２においてもデジタイザ２４の裏面を被覆した位置にある。ペン台２６は、パソコン本体厚さ部分１１側及びデジタイザ厚さ部分１２側の両方に凹部を有し、いずれの凹部にも入力用ペン２５を載置自在になっており、図４では、ペン台２６のパソコン本体厚さ部分１１側の凹部に入力用ペン２５が載置される。図４では、ペン台２６のパソコン本体厚さ部分１１側の凹部に入力用ペン２５が載置される。液晶ディスプレイ２１はタッチパネルを兼ね、ユーザは、液晶ディスプレイ２１の面において入力用ペン２５の先端を所定の圧力でタッチさせることにより、所定の入力を実行できる。
【００２０】
図５はデジタイザ２４を省スペースで使用する状態の斜視図である。図５の重ね合わせ状態（以下、この重ね合わせ状態を適宜「重ね合わせ状態Ｃ３」と言う。）は、パソコン本体厚さ部分１１及びデジタイザ厚さ部分１２は重ね合わせ状態となっていながら、前述の重ね合わせ状態Ｃ１，Ｃ２とは異なっている。すなわち、重ね合わせ状態Ｃ３では、デジタイザ２４及び液晶ディスプレイ２１は共に上向きにされ、かつデジタイザ厚さ部分１２がパソコン本体厚さ部分１１の上に重ね合わされている。重ね合わせ状態Ｃ３を実現するために、重ね合わせ状態Ｃ１においてデジタイザ２４の裏面を被覆していた分離自在部１７が、重ね合わせ状態Ｃ３では、デジタイザ２４の裏面側の固着部１８に対してその下に折り返されている。重ね合わせ状態Ｃ１においてパソコン本体厚さ部分１１の裏面を被覆していた分離自在部１７は、重ね合わせ状態Ｃ３においてもパソコン本体厚さ部分１１の裏面を被覆した位置にある。入力用ペン２５は、デジタイザ２４用入力ペンとして、先端から所定の電磁波を出力するとともに、ボールペンを兼ねる。ユーザは、デジタイザ２４から線図等を入力するとき、デジタイザ２４の上にレポート用紙型ノートを置き、入力用ペン２５の先端を該紙の上で移動させる。これにより、ユーザの描いた線図が該紙上に記入されるとともに、デジタイザ２４は、入力用ペン２５の先端からの電磁波を、該紙を介して受けて、該紙上の線図に係るデータがパソコンのメモリへ取り込まれる。液晶ディスプレイ２１をタッチパネルとして該タッチパネルに文字等を入力するためのペン２５と、デジタイザ２４に文字当を入力するためのペン２５とは、異なるものであってもよい。
【００２１】
図６は重ね合わせ状態Ｃ１（図１）から重ね合わせ状態Ｃ３（図５）へ変更する途中過程を示す図である。デジタイザ厚さ部分１２はＡ４方向へ下降されつつある。光センサ装置３５は、パソコン本体厚さ部分１１の表面（＝収納状態にある液晶ディスプレイ２１の面と同一側のパソコン本体厚さ部分１１の面）において液晶ディスプレイ２１から遠い方の辺部の部位でかつ背中部１５から少し離れた部位に配備される。レザーカバー１３において、固着部１８はデジタイザ厚さ部分１２の裏面（＝デジタイザ２４の入力面とは反対側の面）に固着されているのに対し、分離自在部１７はデジタイザ厚さ部分１２の裏面から分離している。デジタイザ厚さ部分１２は、その裏面がパソコン本体厚さ部分１１の上に載置されるように、デジタイザ２４を上に向けらている。このとき、分離自在部１７は、重ね合わせ状態Ｃ１ではデジタイザ厚さ部分１２に密着していた面（以下、適宜、「第１の面」と言う。）を露出させる。可撓性反射材３６は、薄いアルミニウム箔をビニルで被覆したものから成り、折り返し用線１４の延び方向へ短く、折り返し用線１４の延び方向に対して直角方向へ長い形状とされ、重ね合わせ状態Ｃ３になったときに光センサ装置３５を覆うことのできる位置において分離自在部１７の第１の面に貼着される。可撓性反射材３６は分離自在部１７と共に可撓性をもち、分離自在部１７は可撓性反射材３６の貼着にもかかわらず十分な可撓性を維持する。分離自在部１７の曲がり及び撓みの任意性のために、重ね合わせ状態Ｃ３であっても、載置面方向へのパソコン本体厚さ部分１１及びデジタイザ厚さ部分１２の相対位置は、常に同一にならず、ずれが生じるが、このずれにもかかわらず、可撓性反射材３６は、デジタイザ厚さ部分１２がパソコン本体厚さ部分１１へ十分に接近すると、光センサ装置３５の上方を覆う。
【００２２】
光センサ装置３５は、図示していない赤外線放射器及び赤外線検出器を備え、可撓性反射材３６が光センサ装置３５の上方を覆うと、赤外線放射器４０からの出射光は可撓性反射材３６似より反射して赤外線検出器４１へ入射する。こうして、、重ね合わせ状態Ｃ３が検出されて、重ね合わせ状態Ｃ３のときは、液晶ディスプレイ２１の電源を切ることができる。
【００２３】
図７はディジタイザ２４の詳細な斜視図である。ディジタイザ２４は、正面視で周囲に周囲枠部４０を備え、周囲枠部４０は、縦長の長方形状の輪郭を有し、時計方向へ順番に上辺枠部分４１、右辺枠部分４２、下辺枠部分４３、及び左辺枠部分４４を備えている。用紙集セット部４５は、周囲枠部４０の内側に画定され、紙規格のＡ４寸法の後述の用紙集６３（図９）を内側に、ほぼ隙間なく、嵌入、収納する形状及び大きさに設定されている。書込み感知面４６は用紙集セット部４５の底面を構成する。左辺枠部分４４は、他の辺部より幅が大きく、左辺枠部分４４には、上辺枠部分４１から下辺枠部分４３の方へ順番にパワースイッチ５０、頁入力溝５１、及びモノクロ液晶表示板５２が配備されている。パワースイッチ５０はディジタイザ２４専用であり、ディジタイザ２４は、所定容量のフラッシュメモリを装備しているので、パソコン本体の電源が切れていても、独立して作動し、入力データを保存しておくことができる。頁入力溝５１は、左辺枠部分４４の縦方向へ長く延び、入力用ペン２５のペン先を挿入可能な幅になっている。目盛り線５３は、頁入力溝５１の延び方向の所定位置において頁入力溝５１の横に記入され、例えば、頁入力溝５１の延び方向へ上辺枠部分４１側の端、中心、及び下辺枠部分４３側の端に位置する３本の横線からなる。用紙集セット部４５の深さ（＝用紙集セット部４５の底面からの周囲枠部４０の隆起量）は、用紙集セット部４５にセットできる最大総頁Ｐｍａｘの用紙集６３（図８）の厚さに等しく設定される。頁入力溝５１の延び方向へ上辺枠部分４１側の端、中心、及び下辺枠部分４３側の端はそれぞれ用紙集６３の第１頁、ほぼ第Ｐｍａｘ／２頁、及び第Ｐｍａｘ頁に対応し、通常、これらの目盛り線５３に対応の頁番号が付記されている。モノクロ液晶表示板５２には、ユーザの指示した又はコンピュータ本体から通知のあった頁番号が表示される。頁めくり用側面凹所５７は、右辺枠部分４２の下辺枠部分４３側の端部に形成され、右辺枠部分４２を左右幅方向へ貫通している。したがって、右辺枠部分４２の外側から頁めくり用側面凹所５７を介して用紙集セット部４５内の用紙集６３（図８）の側面厚さ部を接触可能になっている。
【００２４】
ユーザが、入力用ペン２５のペン先で頁入力溝５１の延び方向所定位置を押圧すると、該所定位置に対応する頁番号は、ユーザパソコン本体へ通知されるとともに、モノクロ液晶表示板５２に表示される。ユーザは、モノクロ液晶表示板５２に表示される頁番号を見て、頁番号の入力が正しかったか否かを確認する。頁入力溝５１における押圧により所望の頁番号を入力する際、目盛り線５３が目安として利用される。ユーザは、また、モノクロ液晶表示板５２に表示された頁番号が入力希望のものとは異なっている場合、再度、頁入力溝５１の別の所定位置を入力用ペン２５のペン先で押圧することになる。その再押圧の際にも、目盛り線５３には役立つ。すなわち、例えば１７頁を入力したいのに、モノクロ液晶表示板５２における表示が２０頁であったとする。ユーザは、２０頁の表示情報を基に、１７頁との差分を暗算し、次の再押圧では、差分に対応する分だけ上辺枠部分４１側へ移動した位置を押圧することになる。
【００２５】
ユーザは、用紙集セット部４５に用紙集６３をセットする。用紙集６３の各紙には、上から順番に頁番号を対応付けられている。この対応付けの頁番号は、用紙集６３の各紙にあらかじめ書き込まれている場合もあるし、ユーザ自ら、頁番号を用紙集６３の各紙にあらかじめ書き込んでから、その用紙集６３を用紙集セット部４５にセットする場合もある。ユーザは、これから書込みを行おうとする頁を開くとともに、該頁をパソコン本体へ通知させるために、頁入力溝５１の延び方向所定位置を入力用ペン２５のペン先で押圧する。その後、ユーザは、モノクロ液晶表示板５２に頁番号が表示されている用紙集６３の頁の紙に文字等の書込みを行い、その書込みは該頁番号の頁への書込みとしてパソコン本体へ入力される。ユーザが所望の頁を開こうとするとき、頁めくり用側面凹所５７が利用される。
【００２６】
なお、書込み感知面４６では、入力用ペン２５からの電磁波を検出する走査が所定周波数で実施されており、ユーザが、用紙集セット部４５に用紙集６３をセットして、用紙集６３の各頁に記載した書込みは、入力用ペン２５のペン先から放射される所定の電磁波が用紙集６３の１枚又は複数枚の紙を通過して、書込み感知面４６に到達し、書込み感知面４６の走査により検知される。このディジタイザ２４は、バッテリの電力を節約するために、書込み感知面４６から入力用ペン２５までの距離を入力用ペン２５からの入射波の強さに基づいて検知し、書込み感知面４６における走査周波数は、書込み感知面４６から入力用ペン２５までの距離の遠いとき及び近いときに応じて小及び大へ切り替えられる。
【００２７】
図８は頁めくり用側面凹所５７をディジタイザ２４の右側方から見た図、図９は頁めくり用側面凹所５７の斜視図である。なお、説明の便宜上、書込み感知面４６の面方向を水平方向、書込み感知面４６の面に対して直角方向を垂直方向、上辺枠部分４１及び下辺枠部分４３の方をそれぞれ前方向及び後ろ方向と呼ぶことにする。頁めくり用側面凹所５７は、右辺枠部分４２の上面から垂直に垂下する垂直面５８、垂直面５８の下端から前方へ所定寸法延びる底面５９、及び底面５９の前端から前方へ向かって所定角度で右辺枠部分４２の上面まで上昇する斜面６０を有している。斜面６０は、延び方向へ等長の４個の領域に区分され、これら領域を上の領域から順番に第１の色区分６０ａ、第２の色区分６０ｂ、第３の色区分６０ｃ、及び第４の色区分６０ｄと呼び、それぞれ例えば青、赤、緑、及び白の各色を有している。用紙集６３は、紙規格のＡ４寸法の用紙６４の所定枚数を、四辺を揃えて、積み重ね、上辺を所定の接着剤で綴じたレポート用紙型ノートであり、図９では、用紙集６３の所定頁としての用紙６４が開かれた状態が示され、該用紙６４は、水平方向へ広がり、第２の色区分６０ｂの領域と交差している。用紙集６３の全用紙には、一番上の用紙６４から順番に頁番号が、用紙集６３の製造メーカーにより印刷済みとなっているか、又は、それを購入後のユーザにより頁めくり用側面凹所５７へのセットに先立ち記入済みとされる。
【００２８】
図８に示されるように、用紙集６３の各頁に対して、該頁と交差し該頁の厚さ分に対応する斜面６０の所定の延び方向範囲が対応する。垂直面５８及び斜面６０について、１枚の用紙当たりの延び方向対応寸法を対比すると、斜面６０は斜めになっている分だけ増大する。したがって、ユーザは、これから開こうとする頁（以下、開こうとする頁を、適宜、「目標頁Ｐｏ」と言う。）に対応する斜面６０の所定の延び方向範囲を選択し易くなり、斜面６０全体から選択する精確性は増大する。さらに、第１の色区分６０ａ、第２の色区分６０ｂ、第３の色区分６０ｃ、及び第４の色区分６０ｄの色分けにより、ユーザは、総頁数に対する目的頁Ｐｏの位置を判断し、次に、その位置がどの色範囲のどの当たりにあるか、すなわち延び方向位置を判断し、こうして判断した斜面６０における延び方向位置の高さに等しい頁を指又は入力用ペン２５のペン先によりめくることにより、目的頁Ｐｏ又はその近傍の頁ほ開くことができる。
【００２９】
なお、用紙集セット部４５の深さを、その深さに等しい厚さの用紙集６３の総頁数ｍが１０の整数倍（例えば４０，５０，６０）となるようにし、斜面６０の色区分の個数は、用紙集６３の総頁数ｍを１０か５で約分した数（前述の４０，５０，６０を１０で約分した数値例は４，５，６である。５で約分した数値例は８，１０，１２である。）になるのが、ユーザの計算能率化上、好ましい。例えば、色区分の個数を、ｍを１０で約分した数とした場合、各色区分は、用紙集６３の１０頁分に相当し、目的頁Ｐｏが、斜面６０のどの色区分にあり、かつ色区分のどの位置辺りにあるかをユーザが計算し易くなるからである。例えば、用紙集６３が総頁が４０頁あり、どの頁も開かずに該用紙集６３を閉じているときに用紙集６３の第１頁が右辺枠部分４２の上面にほぼ等しい高さにあるとき、目的頁Ｐｏが２７頁であるとする。また、斜面６０には、第１の色区分６０ａ、第２の色区分６０ｂ、第３の色区分６０ｃ、及び第４の色区分６０ｄの計４個があるとする。２７頁は、第３の色区分６０ｃ内にあり、また、第３の色区分６０ｃの上端と下端とを１とすると、上端から約３／４辺りにあると、ユーザは判断できる。こうして、斜面６０におけるユーザ判断位置の高さにおける用紙集６３の頁をめくる。
【００３０】
最初のめくりでは、開かれた頁Ｐｘは、目標頁Ｐｏではなく、目標頁Ｐｏに適当に近い頁となるのが通常である。しかし、Ｐｘは、Ｐｏに適当に近い故に、ユーザは、わずかの頁をめくるだけで、Ｐｏを開くことができる。
【００３１】
図１０は図８の頁めくり用側面凹所５７に代替する頁めくり用側面凹所６７をディジタイザ２４の右側方から見た図、図１１は頁めくり用側面凹所６７の斜視図である。頁めくり用側面凹所６７は、右辺枠部分４２の上面から垂直に垂下する垂直面６８、垂直面６８の下端から前方へ所定寸法延びる底面６９、及び底面６９の前端から前方へ向かって所定角度で右辺枠部分４２の上面まで上昇する階段構造面７０を有している。階段構造面７０は、その延び方向へ水平段と垂直段とを交互に有し、底面６９は、階段構造面７０の最下部の水平段を兼ねる。階段構造面７０の各水平段に対して、高さが右辺枠部分４２の上面に１番近い水平段から最下部の水平段（＝底面６９）まで、順番に、水平段７０ａ，７０ｂ，・・・，７０ｎ−１，７０ｎとする。水平段７０ａ，７０ｂ，・・・，７０ｎには、相互に識別自在の色を着けることもできる。
【００３２】
なお、用紙集セット部４５の深さに等しい厚さの用紙集６３の総頁数ｍが１０の整数倍（例えば４０，５０，６０）となるようにし、階段構造面７０の水平段の総数ｎは、用紙集６３の総頁数ｍを１０か５で約分した数（１０で約分した数値例：４，５，６。５で約分した数値例：８，１０，１２）になるのが、ユーザの暗算能率化上、好ましい。
【００３３】
用紙集６３の各頁に対して、該頁の高さ以下の高さの階段構造面７０の１個又は複数個の水平段の内で最高の水平段を水平段Ｓａ、該頁の高さより上の高さの階段構造面７０の１個又は複数個の水平段の内、最低の高さの水平段を水平段Ｓｂと定義する。Ｓａ及びＳｂは階段構造面７０において相互に隣り合った水平段であり、用紙集６３の各頁について決まるＳａは、水平段７０ａ，７０ｂ，・・・，７０ｎのどれかになる。各頁に対してＳａ，Ｓｂが決まるので、ユーザは目標頁に対してそのＳａ，Ｓｂがとれかを判断し、該判断に基づいて決定したＳａ及びＳｂについてＳａからＳｂの高さ範囲に属する頁をめくる。例えば、用紙集６３の総頁が４０頁であって、ｎ＝８であるとき、水平段７０ａ，７０ｂ，・・・，７０ｎの各々は、それをＳａとする用紙集６３の頁をそれぞれ５頁ずつ持つことになるので、例えば、目標頁Ｐｏが１８頁であるならば、ユーザは、５×３＜１８＜５×４を暗算し、該目標頁Ｐｏは階段構造面７０ｃと階段構造面７０ｄとの間の高さにある。したがって、ユーザは、階段構造面７０の側面から見て階段構造面７０ｃと階段構造面７０ｄとの間の高さにある頁に見当をつけて、頁をめくる。最初のめくりで、目的頁Ｐｏが開かれることはまれであり、最初に開かれる頁Ｐｘは、通常、目標頁Ｐｏとは別の頁となる。しかし、ＰｘはＰｏに適当に近い頁であるので、ＰｘとＰｏとの差分だけ、前又は後ろの頁をめくることにより、目標頁Ｐｏを能率的に開くことができる。
【００３４】
図１２はモノクロ液晶表示板５２を頁めくり用側面凹所５７に対して用紙集６３とは反対側に頁めくり用側面凹所５７に隣接して配備した構成図である。図１２の構造例では、モノクロ液晶表示板５２だけでなく、パワースイッチ５０及び頁入力溝５１も、右辺枠部分４２の上面に配備され、このため、右辺枠部分４２は、十分に幅広に形成される。頁めくり用側面凹所５７は、その中へユーザの指が挿入可能な幅に設定される。モノクロ液晶表示板５２には、頁番号表示７５と、頁番号表示７５に対応する高さが斜面６０の延び方向位置がどこかを示す指示マーク７６とが表示される。図１２の例では、用紙集６３の総頁数が４０頁で、斜面６０の色区分数が４である場合を想定しており、第１の色区分６０ａ、第２の色区分６０ｂ、第３の色区分６０ｃ、及び第４の色区分６０ｄは、用紙集６３の１０頁ずつに対応する。モノクロ液晶表示板５２の面積を最小限に抑えるために、指示マーク７６が液晶表示板５２の前後方向（＝図１２の上下方向）中心に対して前側にあるときは、頁番号表示７５は液晶表示板５２の後ろ半部に出現し、また、指示マーク７６が液晶表示板５２の前後方向中心に対して後ろ側にあるときは、頁番号表示７５は液晶表示板５２の前半部に出現する。図１２（ａ）及び（ｂ）は、斜面６０の延び方向の全範囲が４０頁に設定されているときに、頁番号表示７５として１８頁及び３３頁が表示されているときの指示マーク７６の位置を示しており、１８頁は、指示マーク７６が液晶表示板５２の前後方向中心に対して前側にあるときの例であり、３３頁は液晶表示板５２の前後方向中心に対して後ろ側にあるときの例である。前述したように、ユーザは頁入力溝５１へ入力用ペン２５のペン先を挿入し、頁入力溝５１の延び方向所定位置を押圧することにより、該延び方向所定位置に対応する頁番号表示７５が液晶表示板５２に表示される。したがって、ユーザは、目標頁を頁入力溝５１において入力し、これにより、液晶表示板５２に頁番号表示７５及び指示マーク７６を表示され、指示マーク７６の指示する斜面６０の延び方向位置の高さに等しい高さの用紙６４を開くように、指や入力用ペン２５のペン先を利用してめくる。
【００３５】
図１２の例では、図８及び図９の頁めくり用側面凹所５７が示されているが、頁めくり用側面凹所５７の代わりに図１０及び図１２の頁めくり用側面凹所６７を使用し、頁めくり用側面凹所６７とモノクロ液晶表示板５２とを右辺枠部分４２に並置してもよい。
【００３６】
ここまでの説明では、右辺枠部分４２に頁番号表示７５として表示される頁番号はユーザが頁入力溝５１においてその所定の延び方向位置を入力用ペン２５のペン先で押圧することにより指定することになっていたが、ユーザによる指定の他に、パソコン本体部から通知された頁番号をモノクロ液晶表示板５２に頁番号表示７５として表示するようにしてもよい。例えば、ユーザが用紙集６３の複数の頁へ書込みを行い、各書込み頁に対応付けて各書込み頁の書込み内容をパソコン本体部の記憶装置へ保管（ストア）された全保管データに対して、ユーザが検索を行う場合を想定する。この場合、検索語の見つかった頁の番号が、パソコン本体部からディジタイザ２４へ通知され、該通知された頁番号がモノクロ液晶表示板５２に頁番号表示７５として表示される。これに伴い、モノクロ液晶表示板５２の指示マーク７６は、頁番号表示７５の頁番号に対応する頁めくり用側面凹所５７の斜面６０の延び方向位置又は頁めくり用側面凹所６７の階段構造面７０の水平段を示す位置に出現する。こうして、ユーザは、指示マーク７６に指示された頁めくり用側面凹所５７の斜面６０の延び方向位置又は頁めくり用側面凹所６７の階段構造面７０の水平段を基に頁をめくり、検索語の記載のある目的頁Ｐｏを迅速かつ能率的に開くことができる。
【００３７】
ユーザは、用紙集セット部４５にセットする用紙集６３の総頁数及び各用紙の厚さを適宜、設定できる。用紙集６３によっては、総頁数や用紙の厚さが異なる。ユーザは、例えばパソコン本体部のキーボード３１より用紙集６３の総頁及び用紙の厚さを入力する。モノクロ液晶表示板５２の指示マーク７６は、ユーザ設定の用紙集６３の総頁及び各用紙の厚さに基づいて頁番号表示７５の頁番号に対応の斜面６０の延び方向位置に出現する。例えば、紙の厚さが同一で総頁が４０頁及び３０頁と異なっている第１及び第２の用紙集６３があり、かつ斜面６０の延び方向全範囲が４０頁となっている場合、第１の用紙集６３では、１頁、２０頁、及び３０頁に対する指示マーク７６は、第１の色区分６０ａの前端、第２の色区分６０ｂと第３の色区分６０ｃとの境界線、及び第３の色区分６０ｃと第４の色区分６０ｄとの境界線にそれぞれ出現し、第２の用紙集６３では、１頁、２０頁、及び３０頁に対する指示マーク７６は、第１の色区分６０ａと第２の色区分６０ｂとの境界線、第３の色区分６０ｃと第４の色区分６０ｄとの境界線、及び第４の色区分６０ｄの後端にそれぞれ出現する。なお、紙の厚さは、用紙集６３ごとの相違は少ないので、紙の厚さについてのユーザ設定は省略し、用紙集６３の総頁についてのユーザ設定のみを行うようにしてもよい。
【００３８】
頁めくり用側面凹所５７，６７は、ディジタイザ２４に装備されているが、ディジタイザ２４に関係なく使用することができる。すなわち、図８において、ディジタイザ２４との関連が必須の要素を除去して、残った要素のみ（４０，４５，５１，５２，５７，６７（５７の代わりとしての６７））を、ディジタイザ２４とは無関係に利用可能である。その場合、用紙集セット部４５にセットされるものは書込み可能な用紙集に限定されず、書き込みを特に必要としないで頁の開きのみ可能な書籍であってもよい。周囲枠部４０は、内側にセット部４５を画定しつつ、机やテーブル上に配設され、百科事典等の所定厚さの書籍や用紙集がセット部４５にセットされる。そして、それら書籍や用紙集の所定頁を開くときに、頁めくり用側面凹所５７，６７、さらには、頁番号表示７５及び指示マーク７６の表示用のモノクロ液晶表示板５２が利用される。
【００３９】
【発明の効果】
本発明では、上昇部が、厚さ側面の厚さ方向へ厚さ側面の厚さ方向に対して下端から上端へ向かって概ね斜めに上昇しつつ、延び方向の各範囲を識別する延び方向範囲識別手段を装備しているので、ユーザは、紙集合体の所望の頁を開くに当たり、該所望頁に対応する延び方向範囲識別手段を手掛かりに、該所望頁を開くことにより、所望頁を能率的に開くことができる。
【図面の簡単な説明】
【図１】ポータブルコンピュータを携帯時の状態で示す斜視図である。
【図２】ポータブルコンピュータを図１の状態から所定角度、開いた状態を示す図である。
【図３】ポータブルコンピュータを１８０°開いた状態を示す斜視図である。
【図４】液晶ディスプレイを省スペースで使用する状態の斜視図である。
【図５】デジタイザを省スペースで使用する状態の斜視図である。
【図６】重ね合わせ状態Ｃ１（図１）から重ね合わせ状態Ｃ３（図５）へ変更する途中過程を示す図である。
【図７】ディジタイザの詳細な斜視図である。
【図８】頁めくり用側面凹所の斜視図である。
【図９】頁めくり用側面凹所の斜視図である。
【図１０】図８の頁めくり用側面凹所に代替する頁めくり用側面凹所をディジタイザの右側方から見た図である。
【図１１】頁めくり用側面凹所の斜視図である。
【図１２】反対側に頁めくり用側面凹所に隣接して配備した構成図である。
【符号の説明】
２１    液晶ディスプレイ（パソコン本体部）
２４    ディジタイザ
３１    キーボード（パソコン本体部）
４５    用紙集セット部（載置部）
５２    モノクロ液晶表示板の指示マーク
５７    頁めくり用側面凹所（隆起部材、頁アクセス支援装置）
６０    斜面（上昇部）
６０ａ    第１の色区分（延び方向範囲識別手段）
６０ｂ    第２の色区分（延び方向範囲識別手段）
６０ｃ    第３の色区分（延び方向範囲識別手段）
６０ｄ    第４の色区分６０ｄ（延び方向範囲識別手段）
６３    用紙集（紙集合体）
６７    頁めくり用側面凹所（隆起部材、頁アクセス支援装置）
７０    階段構造面（上昇部）
７０ａ〜７０ｎ    水平段（延び方向範囲識別手段）
７５    頁番号表示
７６    指示マーク
【図１】
0003798662.tif 000002
【図２】
0003798662.tif 000003
【図３】
0003798662.tif 000004
【図４】
0003798662.tif 000005
【図５】
0003798662.tif 000006
【図６】
0003798662.tif 000007
【図７】
0003798662.tif 000008
【図８】
0003798662.tif 000009
【図９】
0003798662.tif 000010
【図１０】
0003798662.tif 000011
【図１１】
0003798662.tif 000012
【図１２】
0003798662.tif 000013